(57)【要約】【課題】  ヘッドボードを有効利用して、室内空間を有効に活用することのできるベッドを提供する。【解決手段】  ベッド１０と家具２０とで構成する。ベッド１０は、ベッド本体部１１と、このベッド本体部１１の前端に、一定間隔をあけて前後に対向位置して設けられた一対の垂直板１３の上端に天板１４を設け、内部に収納空間部１５が形成されるように構成し、少なくとも左右一方側に解放部１６を形成する。家具２０は、ヘッドボード１２の収納空間部１５に収納されるもので、解放部１６を通って左右方向に取り出し自在に構成する。【選択図】      図２
0003174796.tif 000002
【実用新案登録請求の範囲】
【請求項１】
ベッド本体部（１１）と，該ベッド本体部の前端に，一定間隔をあけて前後に対向位置して設けられた一対の垂直板（１３）の上端に天板（１４）を設け，内部に収納空間部（１５）が形成されるように構成され，少なくとも左右一方側に解放部（１６）が形成されたヘッドボード（１２）とを備えたベッド（１０）と、前記ヘッドボードの収納空間部に収納され，前記解放部を通って左右方向に取り出し自在な家具（２０）とを備えることを特徴とする家具付きベッド。
【請求項２】
ベッド本体部（１１）と，該ベッド本体部の前端に，一定間隔をあけて前後に対向位置して設けられた一対の垂直板（１３）の上端に天板（１４）を設け，内部に収納空間部（１５）が形成されるように構成され，少なくとも左右一方側に解放部（１６）が形成されたヘッドボード（１２）とを備えたベッド（１０）と、前記ヘッドボードの収納空間部に収納され，前記解放部を通って左右方向に取り出し自在な家具（２０）とを備え、前記家具を，少なくとも棚として使用できる第一家具（２１）と，該第一家具に対して左右方向に伸縮自在であり，かつ，伸張状態で，その基端部を軸として回動自在であり，少なくとも机として使用できる第二家具（２２）とで構成したことを特徴とする家具付きベッド。
【考案の詳細な説明】
【技術分野】
【０００１】
本考案は、出し入れ自在で収納可能な家具を備えたベッドに関するものである。
【背景技術】
【０００２】
睡眠をとるためのベッドは、通常、ベッド本体部の一端部にヘッドボードが備えられている。このヘッドボードは、寝具の移動を防止し、使用者の頭部を保護し、さらには使用者の背もたれになる等の役目を担う。
【０００３】
従来、ベッド本体部の下側部分に形成される空間部分を収納スペースとして有効利用し、その収納スペースに衣類などを納めるように構成されたベッドが使用されている。
【考案の概要】
【考案が解決しようとする課題】
【０００４】
しかし、従来のベッドにおいて、そのヘッドボードは、本来の役目を担うことと装飾性を高めることに重点が置かれ、ベッド本体部のような有効利用がなされていないのが現状である。
【０００５】
例えば、ワンルームマンションなどの比較的狭い室内空間にベッドを設置すると、机や棚などの家具類を設置するスペースが限られてしまうため、室内空間がさらに狭くなってしまうといった問題が生じる。
【０００６】
本考案はこうした問題に鑑み創案されたもので、ヘッドボードを有効利用して、室内空間を有効に活用することのできるベッドを提供することを課題とする。
【課題を解決するための手段】
【０００７】
図１乃至図５を参照して説明する。請求項１に記載の家具付きベッド１は、ベッド本体部１１と、当該ベッド本体部１１の前端に、一定間隔をあけて前後に対向位置して設けられた一対の垂直板１３の上端に天板１４を設け、内部に収納空間部１５が形成されるように構成され、少なくとも左右一方側に解放部１６が形成されたヘッドボード１２とを備えたベッド１０を備える。
【０００８】
また、この家具付きベッド１は、前記ヘッドボード１２の収納空間部１５に収納され、前記解放部１６を通って左右方向に取り出し自在な家具２０を備える。
【０００９】
請求項２に記載の家具付きベッド１は、ベッド本体部１１と、当該ベッド本体部１１の前端に、一定間隔をあけて前後に対向位置して設けられた一対の垂直板１３の上端に天板１４を設け、内部に収納空間部１５が形成されるように構成され、少なくとも左右一方側に解放部１６が形成されたヘッドボード１２とを備えたベッド１０を備える。
【００１０】
また、この家具付きベッド１は、前記ヘッドボード１２の収納空間部１５に収納され、前記解放部１６を通って左右方向に取り出し自在な家具２０を備える。
【００１１】
そして、前記家具２０を、少なくとも棚として使用できる第一家具２１と、当該第一家具２１に対して左右方向に伸縮自在であり、かつ、伸張状態で、その基端部を軸として回動自在であり、少なくとも机として使用できる第二家具２２とで構成している。
【考案の効果】
【００１２】
請求項１に記載の家具付きベッド１は、ヘッドボード１２をその内部に収納空間部１５を設けるように構成し、家具２０を、その収納空間部１５に収納し、解放部１６を通って左右方向に取り出し自在としたので、これまで本来の役目と装飾性を高めることに重点が置かれていたヘッドボード１２を有効利用することができる。
【００１３】
また、これにより、例えば、ワンルームマンションなどの比較的狭い室内空間を有効に利用することができる。
【００１４】
請求項２に記載の家具付きベッド１は、請求項１に記載の考案と同様の効果を発揮する。また、家具２０を、少なくとも棚として使用できる第一家具２１と、少なくとも机として使用できる第二家具２２とで構成したので、例えば、第一家具（棚）２１に書籍Ｂを収納し、第二家具（机）２２の上にパソコンディスプレイＤやキーボードＫなどを置くことができる。
【００１５】
また、第二家具２２は、第一家具２１に対して左右方向に伸縮自在であり、かつ、伸張状態で、その基端部を軸として回動自在であるので、例えば、当該第二家具２２を第一家具２１に対して直角に回動させた状態とし、ベッド本体部１１に座った状態で、第二家具（机）２２の上に置いたパソコンディスプレイＤとキーボードＫを操作することができる。
【図面の簡単な説明】
【００１６】
【図１】本考案に係る家具付きベッドの実施形態を示すもので、ヘッドボードに家具を収納した状態を示す正面図である（ベッド本体部は想像線で示す）。
【図２】本考案に係る家具付きベッドの実施形態を示すもので、ヘッドボードから家具を取り出した状態を示す正面図である（ベッド本体部は想像線で示す）。
【図３】本考案に係る家具付きベッドの実施形態を示すもので、ヘッドボードから家具を取り出した状態を示す要部平面図である。
【図４】本考案に係る家具付きベッドの実施形態を示すもので、ヘッドボードから家具（第一家具と第二家具）を取り出し、第二家具を直角に回動した状態を示す要部平面図である。
【図５】本考案に係る家具付きベッドの実施形態を示すもので、ヘッドボードから家具を取り出し、第二家具を直角に回動した状態での使用例を示す平面図である。
【図６】本考案に係る家具付きベッドの他の実施形態を示す正面図である。
【考案を実施するための形態】
【００１７】
本考案に係る家具付きベッド１の実施形態を、図１乃至図５に示す。この家具付きベッド１は、ベッド１０と家具２０とを備える。
【００１８】
ベッド１０は、ベッド本体部１１とヘッドボード１２とを備える。ベッド本体部１１は、前後方向に長尺状の平面長方形状であり、その上に寝具（図示せず）が敷かれる。
【００１９】
ヘッドボード１２は、ベッド本体部１１の前端に設けられるもので、一定間隔をあけて前後に対向位置して設けられた一対の垂直板１３，１３の上端に、水平な板状の天板１４を設けて構成される。従って、このヘッドボード１２の内部には収納空間部１５が形成される。また、少なくとも左右一方側には解放部１６が形成される。なお、垂直板１３の上端部に開口部１３ａを形成し、この開口部１３ａに目覚まし時計や装飾品等を置くことができる。
【００２０】
なお、解放部１６は、左右一方側に形成しても良いし、両側に形成しても良い。左右一方側に形成する場合は、左右他方側を化粧板などで閉じる。なお、このヘッドボード１２は、ベッド本体部１１に固定しても良いし、独立状態で隣接させても良い。
【００２１】
ヘッドボード１２の下端部には部分的に切欠部１７を形成し、この切欠部１７に電線コードや電話コードなどのコードＣを通している。この切欠部１７によって、コードＣがヘッドボード１２に踏まれて損傷するといった事態を防止している。
【００２２】
家具２０は、ヘッドボード１２の収納空間部１５に収納される大きさ（長さ、幅および高さ）を備え、解放部１６を通って左右方向に取り出し自在である。本実施形態の家具２０は、収納空間部１５とほぼ同じ大きさを備えるものとし、収納空間部１５に収納できる最大限のものに設定されている。
【００２３】
また、本実施形態における家具２０は、第一家具２１と第二家具２２とで構成されている。第一家具２１は、正面矩形状の枠板２１ａと、その中間高さ位置に棚板２１ｂを水平方向に設けて構成される。従って、この枠板２１ａの上面や棚板２１ｂに複数の書籍Ｂや装飾物などを置くことができる。
【００２４】
枠板２１ａの下面にはコロ２１ｃを設けており、このコロ２１ｃの働きにより、第一家具２１（および第二家具２２）を収納空間部１５から軽い力で容易に取り出すことができる。なお、枠板２１ａの下面は、ヘッドボード１２の下端部に水平方向に設けたガイド部１２ａの上面に当接し、取り出しおよび収納の際に、このガイド部１２ａの上面によってガイドされる。
【００２５】
第二家具２２は、第一家具２１に対して左右方向に伸縮自在（進退動自在）に移動できるように構成されている。すなわち、第二家具２２は、第一家具２１に離脱不能かつ伸縮自在に組み付けられ、第一家具２１にガイドされながら伸縮自在に移動する。
【００２６】
また、第二家具２２は、伸張状態において、その基端部が第一家具２１の先端部に枢軸２１ｅによって回転自在に軸支されるように構成されており、第二家具２２は、この枢軸２１ｅを中心にほぼ９０度回動する。
【００２７】
即ち、第二家具２２の下面には長手方向の中心線を通る両端往止まりで下に凹の主あり溝２２ｅと、主あり溝２２ｅに平行な副あり溝２２ｆとが設けられている。第一家具２１の側端上面には大径頭付主枢軸２１ｅと大径頭付副枢軸２１ｆとが突設され、それぞれ主あり溝２２ｅと副あり溝２２ｆとが嵌っている。副あり溝２２ｆの端部は、主副あり溝２２ｅ，２２ｆの間隔に合致する半径で円弧状あり溝２２ｇが連設されている。したがって、第一家具２１の延長線上に第二家具２２を引出したとき、副枢軸２１ｆをガイドにして円弧状あり溝２２ｇが滑り動く。
【００２８】
この第二家具２２は、机および棚として使用できるものであり、水平方向に設けられた水平部材２２ａと、この水平部材２２ａの先端部から下方垂直方向に設けられた垂直部材２２ｂとで構成される。水平部材２２ａの内部には水平空間部Ｓ１が形成され、垂直部材２２ｂの内部には垂直空間部Ｓ２が形成されている。この水平空間部Ｓ１は、横長状の品物（例えば、ゲームなどのＤＶＤプレーヤーＶ）を収納するのに適しており、垂直空間部Ｓ２は縦長状の品物（例えば、パソコン本体Ｐ）を収納するのに適している。
【００２９】
また、垂直空間部Ｓ２に水平板２２ｃを設け、その上に縦長の書籍Ｂなどを置くことができる。さらに、水平部材２２ａの上面には大型の品物（例えば、パソコンディスプレイＤやキーボードＫなど）を置くことができる。
【００３０】
垂直部材２２ｂの下面には床面Ｆを走行する車輪２２ｄを設けており、この車輪２２ｄによって、第二家具２２を第一家具２１に対して容易に伸縮移動させることができる。また、この車輪２２ｄは、第一家具２１および第二家具２２を収納空間部１５から取り出す際、および収納する際にも機能する。
【００３１】
本実施形態に係る家具付きベッド１は、次のようにして使用することができる。家具２０をヘッドボード１２の収納空間部１５に収納した状態（図１参照）では、家具２０の全体が収納空間部１５に収納される。このように使用することで室内空間を広く利用することができる。
【００３２】
この状態から、例えば、第二家具２２をパソコンディスプレイＤとキーボードＫを置くための机として使用する場合には、家具２０を収納空間部１５から解放部１６を通して左右方向に引張り、第二家具２２が第一家具２１に対して伸張状態になるまで引き出す（図２および図３）。この際、第一家具２１にはコロ２１ｃが設けられ、第二家具２２には車輪２２ｄが設けられているので、家具２０は床面Ｆを傷つけることなく容易に引き出される。
【００３３】
第二家具２２が第一家具２１に対して伸張状態になった後、第二家具２２を、第一家具２１に対して直角になるまで回動させる（図４および図５）。これにより、第二家具２２は、ベッド本体部１１に対して平行となる。この状態で、第二家具２２の水平部材２２ａの上にパソコンディスプレイＤとキーボードＫを置くと共に、使用者Ｕがベッド本体部１１に腰掛けてパソコンを操作する。これにより、第二家具２２を机として使用し、ベッド本体部１１を椅子として使用することができる。
【００３４】
なお、本実施形態に係る家具付きベッド１は上記の使用形態に限定されるものではなく、あらゆる使用形態に対応することができる。例えば、ヘッドボード１２の上にテレビＴを置き、使用者Ｕがベッド本体部１１の上に寝ころんだ状態でそのテレビＴを観ることもできるし、その状態で第二家具２２の水平部材２２ａの上に置いたパソコンディスプレイＤに映し出した画像を観ることもできる。
【００３５】
このように、本実施形態に係る家具付きベッド１は、ヘッドボード１２をその内部に収納空間部１５を設けるように構成し、家具２０を、その収納空間部１５に収納し、解放部１６を通って左右方向に取り出し自在としたので、ヘッドボード１２に本来の機能と共に、家具２０を収納する機能を持たせることができる。これにより、家具２０を使用しない場合には収納空間部１５に収納しておくことにより、室内空間を広く使用することができる。これば、例えば、ワンルームマンションなどの比較的狭い室内空間において特に実用的である。
【００３６】
なお、本考案に係る家具付きベッド１は上記実施形態に限定されるものではなく、例えば、図６に示すような形態、あるいは他の任意の形態とすることができる。図６に示す家具付きベッド１は、ベッド本体部１１とヘッドボード１２を備えるベッド１０と、ヘッドボード１２に形成した収納空間部１５に、左右方向に移動させて出し入れ自在に収納する家具２０とで構成される。
【００３７】
この家具２０は単体で構成され、棚２３と引出し２４を備える。棚２３には本や衣類などを収納することができ、引出し２４には貴重品などを収納することができる。家具２０の先端部には床面Ｆを転がる車輪２５を設けている。
【００３８】
この家具付きベッド１も、上記実施形態と同様に、家具２０を収納空間部１５に収納することができるので、限られた室内空間を有効利用することができる。
【符号の説明】
【００３９】
１        家具付きベッド
１０      ベッド
１１      ベッド本体部
１２      ヘッドボード
１２ａ    ガイド部
１３      垂直板
１３ａ    開口部
１４      天板
１５      収納空間部
１６      解放部
１７      切欠部
２０      家具
２１      第一家具
２１ａ    枠板
２１ｂ    棚板
２１ｃ    コロ
２１ｅ    主枢軸
２１ｆ    副枢軸
２２      第二家具
２２ａ    水平部材
２２ｂ    垂直部材
２２ｃ    水平板
２２ｃ    軸棒
２２ｄ    車輪
２２ｅ    主あり溝
２２ｆ    副あり溝
２２ｇ    円弧状あり溝
２３      棚
２４      引出し
２５      車輪
Ｂ        書籍
Ｃ        コード
Ｄ        パソコンディスプレイ
Ｆ        床面
Ｋ        キーボード
Ｐ        パソコン本体
Ｔ        テレビ
Ｕ        使用者
Ｖ        ＤＶＤプレーヤー
【図１】
0003174796.tif 000003
【図２】
0003174796.tif 000004
【図３】
0003174796.tif 000005
【図４】
0003174796.tif 000006
【図５】
0003174796.tif 000007
【図６】
0003174796.tif 000008